(57)【要約】【課題】高価なデータ格納媒体や二重使用チェック処理等を用いることなく、電子データの唯一性を保証する。【解決手段】データ管理端末２１は、唯一性を保証すべき電子データをデータ格納媒体２２で一元管理し、利用者から電子データの要求を受けたときに、印刷機２３を使用してホログラム等の複製不可能な形態で該電子データを紙等のデータ印刷媒体２４に印刷する。利用端末２６は、利用者が電子データを使用する際に、データ読み取り装置２７を使用してデータ印刷媒体から当該電子データを取り込んで利用者に各種サービスを提供する。データ管理端末に代えてデータ管理サーバとし、ネットワークを介して印刷端末が電子データまたは変換電子データを取得することも含む。【選択図】  図１
2004351691.tif 000002
【特許請求の範囲】
【請求項１】
唯一性を保証すべき電子データを一元管理し、利用者から前記電子データの要求を受けたときに、印刷機を使用してホログラム等の複製不可能な形態で該電子データを紙等のデータ印刷媒体に印刷するデータ管理端末と、
利用者が電子データを使用する際に、データ読み取り装置を使用して前記データ印刷媒体から当該電子データを取り込んで利用者に各種サービスを提供する利用端末と、
を備えたことを特徴とする電子データの唯一性保証システム。
【請求項２】
唯一性を保証すべき電子データを一元管理するデータ管理サーバと、
利用者から前記電子データの要求を受けたときに、ネットワークを介して前記データ管理サーバから該電子データを取得し、印刷機を使用してホログラム等の複製不可能な形態で電子データを紙等のデータ印刷媒体に印刷、またはネットワークを介して前記データ管理サーバから該電子データをホログラム等の複製不可能な形態に変換した変換電子データを取得し、印刷機を使用して該変換電子データを紙等のデータ印刷媒体に印刷する印刷端末と、
利用者が電子データを使用する際に、データ読み取り装置を使用して前記データ印刷媒体から当該電子データを取り込んで利用者に各種サービスを提供する利用端末と、
を備えたことを特徴とする電子データの唯一性保証システム。
【請求項３】
唯一性を保証すべき電子データを一元管理し、利用者から前記電子データの要求を受けたときに、印刷機を使用してホログラム等の複製不可能な形態で該電子データを紙等のデータ印刷媒体に印刷するデータ管理過程と、
利用者が電子データを使用する際に、データ読み取り装置を使用して前記データ印刷媒体から当該電子データを取り込んで利用者に各種サービスを提供する利用過程と、
を有することを特徴とする電子データの唯一性保証方法。
【請求項４】
唯一性を保証すべき電子データを一元管理するデータ管理過程と、
利用者から前記電子データの要求を受けたときに、ネットワークを介して前記データ管理過程から該電子データを取得し、印刷機を使用してホログラム等の複製不可能な形態で電子データを紙等のデータ印刷媒体に印刷、またはネットワークを介して前記データ管理過程から該電子データをホログラム等の複製不可能な形態に変換した変換電子データを取得し、印刷機を使用して該変換電子データを紙等のデータ印刷媒体に印刷する印刷過程と、
利用者が電子データを使用する際に、データ読み取り装置を使用して前記データ印刷媒体から当該電子データを取り込んで利用者に各種サービスを提供する利用過程と、
を備えたことを特徴とする電子データの唯一性保証方法。
【発明の詳細な説明】
【０００１】
【発明の属する技術分野】
本発明は、電子チケット、電子マネー等の電子データの複製を防止して、データの唯一性を保証するシステムおよび保証方法に関する。
【０００２】
【従来の技術】
図４および図５は、電子データ提供システムを示す。図４において、データ管理端末１は、データ格納媒体２に電子データを格納して一元管理し、利用者から電子データの要求を受けたとき、管理している電子データを付属のデータ書き込み装置３を使用して利用者用データ格納媒体（磁気カード、ＩＣカードなど）４に電子データ５として書き込む。利用端末６は、利用者が電子データを使用する際に、データ読み取り装置７を使用してデータ格納媒体４から当該電子データを取り込んで各種サービスを提供する。
【０００３】
図５は、インターネット等のネットワークを介した電子データ提供システムを示し、データ管理サーバ１１は、ネットワーク接続される利用端末１８のデータ書き込み装置１３によって電子データを利用者データ格納媒体１４に電子データ１５として書き込む。利用端末１６は、利用者が電子データを使用する際に、データ読み取り装置１７を使用してデータ格納媒体１４から当該電子データを取り込む。
【０００４】
このような電子データ提供システムにおいて、電子データの唯一性を保証する方法には、以下のサーバ管理型とホットリスト利用型さらに耐タンパ型がある。
【０００５】
（１）サーバ管理型
電子データ管理サーバで利用状況の一元管理を行い、利用者が電子データを利用する際（例えば電子チケット）には、その都度サーバにアクセスして、データが複製されていないかを確認する。
【０００６】
例えば、図５のシステムでは、利用端末１６がデータ管理サーバ１１に問い合わせることで二重使用をチェックする。
【０００７】
このシステムは、利用時毎にサーバへの通信コストが発生する。
【０００８】
（２）ホットリスト利用型
利用端末上へ利用済みデータの識別情報（通称ホットリスト）を作成し、データの利用時にホットリストで利用状況を確認した後にサービスを提供する。
【０００９】
例えば、図４のシステムでは、利用端末６が二重使用チェックデータベース８を設備し、このデータベースで管理するデータによって図６に示すような処理手順で二重使用をチェックする。
【００１０】
このシステムは、サーバへの通信コストは発生しないが、電子チケット改札が複数台ある場合などを考慮すると、ホットリスト更新制御や運用等のコストが必要となる。
【００１１】
（３）耐タンパ型
電子データの有効性データを本来の電子データに付加して耐タンパ装置（ＩＣカードなど）に格納する（例えば、特許文献１参照）。
【００１２】
例えば、図４、図５における利用者用データ格納媒体４、１４は、電子データを利用者が持ち運ぶ際には、正規の手順でなければデータを読み出せない格納媒体とすることで、電子データの読み出しによる複製を防止する。
【００１３】
【特許文献１】
特開２００２−１８３６３３
【００１４】
【発明が解決しようとする課題】
通常カードや各種メモリ等の記憶デバイスに保存されている電子データは、読み出しさえできれば容易に複製可能である。そのため、電子データの唯一性を保証するには、前記のサーバ型、ホットリスト利用型、耐タンパ型を利用し、
・データを利用する際にシステム内でそのデータの利用状況をチェックする。
【００１５】
・利用者が電子データを持ち運ぶ際には、正規の手順以外にデータの読み出しが不可能なデバイスに格納する。
などの方法を取らねばならず、システム構築のコストがかさむという問題があった。
【００１６】
本発明の目的は、唯一性を保証すべき電子データがある場合、データ読み出しの不可能な高価なデータ格納媒体や、利用時の二重使用チェック処理等の手法を用いることなく、安価にデータの唯一性を保証することができる電子データの唯一性保証システム、保証方法を提供することにある。
【００１７】
【課題を解決するための手段】
本発明は、電子データそのものをホログラム等の複製不可能な状態で紙等の印刷媒体に印刷することにより、紙への印刷時に電子データ管理サーバで利用状況を一元管理するだけで、電子データを複製不可能な状態で紙等の安価な印刷媒体に格納でき、格納（印刷）した後は、データの利用状況をチェックするための二重使用チェックリストを作成したり、利用状況をサーバへ問い合わせたりする必要が無く、そのためのシステム構築コストを削減し、複製が不可能なため安価に電子データの唯一性を保証するようにしたもので、以下のシステム、方法を特徴とする。
【００１８】
（１）唯一性を保証すべき電子データを一元管理し、利用者から前記電子データの要求を受けたときに、印刷機を使用してホログラム等の複製不可能な形態で該電子データを紙等のデータ印刷媒体に印刷するデータ管理端末と、
利用者が電子データを使用する際に、データ読み取り装置を使用して前記データ印刷媒体から当該電子データを取り込んで利用者に各種サービスを提供する利用端末と、
を備えたことを特徴とする電子データの唯一性保証システム。
【００１９】
（２）唯一性を保証すべき電子データを一元管理するデータ管理サーバと、
利用者から前記電子データの要求を受けたときに、ネットワークを介して前記データ管理サーバから該電子データを取得し、印刷機を使用してホログラム等の複製不可能な形態で電子データを紙等のデータ印刷媒体に印刷、またはネットワークを介して前記データ管理サーバから該電子データをホログラム等の複製不可能な形態に変換した変換電子データを取得し、印刷機を使用して該変換電子データを紙等のデータ印刷媒体に印刷する印刷端末と、
利用者が電子データを使用する際に、データ読み取り装置を使用して前記データ印刷媒体から当該電子データを取り込んで利用者に各種サービスを提供する利用端末と、
を備えたことを特徴とする電子データの唯一性保証システム。
【００２０】
（３）唯一性を保証すべき電子データを一元管理し、利用者から前記電子データの要求を受けたときに、印刷機を使用してホログラム等の複製不可能な形態で該電子データを紙等のデータ印刷媒体に印刷するデータ管理過程と、
利用者が電子データを使用する際に、データ読み取り装置を使用して前記データ印刷媒体から当該電子データを取り込んで利用者に各種サービスを提供する利用過程と、
を有することを特徴とする電子データの唯一性保証方法。
【００２１】
（４）唯一性を保証すべき電子データを一元管理するデータ管理過程と、
利用者から前記電子データの要求を受けたときに、ネットワークを介して前記データ管理過程から該電子データを取得し、印刷機を使用してホログラム等の複製不可能な形態で電子データを紙等のデータ印刷媒体に印刷、またはネットワークを介して前記データ管理過程から該電子データをホログラム等の複製不可能な形態に変換した変換電子データを取得し、印刷機を使用して該変換電子データを紙等のデータ印刷媒体に印刷する印刷過程と、
利用者が電子データを使用する際に、データ読み取り装置を使用して前記データ印刷媒体から当該電子データを取り込んで利用者に各種サービスを提供する利用過程と、
を備えたことを特徴とする電子データの唯一性保証方法。
【００２２】
【発明の実施の形態】
図１、図２に本発明の実施の形態になる電子データの唯一性保証システムを示す。
【００２３】
図１において、データ管理端末２１は、データ格納媒体２２に唯一性を保証すべき電子データを格納して一元管理し、利用者の要求があれば、管理している電子データをホログラム等の複製不可能な形式に変換して、印刷機２３により紙等の安価なデータ印刷媒体２４に電子データ２５として印刷する。利用者はデータの印刷されたデータ印刷媒体２４を利用端末２６へ提示し、利用端末２６はデータ読み取り装置２７によりホログラム等で印刷されたデータ２５を読み取り、サービスを提供する。
【００２４】
図２は、インターネット等のネットワークを介した電子データ提供システムを示し、データ管理サーバ３１は、データ格納媒体３２に唯一性を保証すべき電子データを格納して一元管理し、ネットワークで接続された印刷端末３８からの要求に応じて管理しているデータを送信する。この際、必要に応じてネットワーク通信路は暗号化を行う。印刷端末３８は受信したデータをホログラム等の複製不可能な形式に変換して、印刷機３３により紙等の安価なデータ印刷媒体３４に電子データ３５として印刷する。ここで、ホログラム等のデータに変換するのはデータ管理サーバ３１でも良く、その場合は印刷データを印刷端末３８へ送信する。
【００２５】
利用者はデータの印刷されたデータ印刷媒体３４を利用端末３６へ提示し、利用端末３６はデータ読み取り装置３７によりホログラム等で印刷されたデータ３５を読み取り、サービスを提供する。
【００２６】
以上のように、本実施形態になるシステムは、電子データそのものをホログラム等の複製不可能な状態で紙等の印刷媒体に印刷し、利用者はこの印刷媒体を利用端末に提示し、利用端末のデータ読み取り装置ではホログラム等で印刷されたデータを読み取り、サービスを提供することができる。
【００２７】
図３は、図２のシステムをチケット発券システムに適用した場合のシステム構成を示す。
【００２８】
チケットサーバ４１のチケット発券サーバプログラム４１ａは、チケット発券端末４８の発券プログラム４８ａからの要求に対して、発券番号ＤＢ４１ｂで一元的に管理されたチケット発券番号を含んだチケットの電子データを送信する。発券プログラム４８ａは受信したチケットデータをホログラム印刷プリンタ４３でチケット４４にホログラムバーコード４５として印刷する。
【００２９】
チケット４４は利用者に渡され、利用者はチケット４４を携帯して利用する場所へ移動し、チケット改札端末４６にチケットを提示する。チケット改札端末４６の改札プログラム４６ａは、チケットが提示されたことを検知し、ホログラム読み取り装置４７によりチケットデータを読み取り、改札を行う。
【００３０】
なお、図３はチケット発券番号への適用例を説明したが、唯一性を証明しなければならない電子データ、例えばＩＤデータ、管理番号等に適用することも可能である。印刷する媒体としても紙だけでなく、カードの券面、ハードウェアの表面等も可能である。
【００３１】
【発明の効果】
以上のとおり、本発明によれば、ホログラムで紙等に印刷された電子データはコピー機等では複製不可能であるため、印刷時にデータの唯一性を管理しておくだけで以下のような効果をもたらし、安価に電子データの唯一性を保証することが可能である。
【００３２】
・データを利用して何らかのサービスの提供が発生する際に、そのデータの利用状況をチェックするシステムが不要。
【００３３】
・上記の利用状況チェックの際に、通信路等を暗号化する必要がない。
【００３４】
・利用時のデータの格納媒体として、ＩＣカードや耐タンパ装置等の高価な媒体とする必要がない。
【図面の簡単な説明】
【図１】本発明の実施形態を示すシステム構成図。
【図２】本発明の他の実施形態を示すシステム構成図。
【図３】本発明をチケット発券システムに適用した例。
【図４】従来のシステム構成図。
【図５】従来のシステム構成図。
【図６】従来の二重使用チェック手順。
【符号の説明】
２１…データ管理端末
２２、３２…データ格納媒体
２３、３３…印刷機
２４、３４…データ印刷媒体
２５、３５…電子データ
２６、３６…利用端末
２７、３７…データ読み取り装置
３１…データ管理サーバ
【図１】
2004351691.tif 000003
【図２】
2004351691.tif 000004
【図３】
2004351691.tif 000005
【図４】
2004351691.tif 000006
【図５】
2004351691.tif 000007
【図６】
2004351691.tif 000008